(57)【要約】      （修正有）【課題】貝殻・甲殻・藻類を植物により吸収されやすい形に軟化させ、ゴミの発生を減らし、変化しにくく、葉面散布作用を持つ臭気を拡散させることのできる固体として、天然ミネラル補充剤を提供する。【解決手段】貝殻・甲殻・藻類のいずれかもしくは複数を、インスタントコーヒー・クエン酸・強酸性物質のいずれかもしくは複数の粉体もしくは粒体と、液体もしくは湿気を与えながら撹拌し、軟化、分解を促進させ、布や不織布・網等に袋詰めして用いることを特徴とする植物へのミネラル補充剤。【選択図】なし【特許請求の範囲】
【請求項１】
貝殻・甲殻・藻類のいずれかもしくは複数を、インスタントコーヒー・クエン酸・強酸性物質のいずれかもしくは複数の粉体もしくは粒体と、液体もしくは湿気を与えながら攪拌し、軟化、分解を促進させ、布や不織布・網等に袋詰めして用いることを特徴とする植物へのミネラル補充剤。
【発明の詳細な説明】
【技術分野】
【０００１】  この発明は、植物に天然のミネラル分を効率よく、手軽に与えるミネラル補充剤に関する。
【背景技術】
【０００２】  従来の貝殻・甲殻・藻類の植物に対する利用法は、砕いたり、焼いたりもしくはそのまま肥料として与えられたり、成分を溶かしこんだ液を散布ノズルによる葉面散布や給水時に液肥として散水されていた。
【発明の開示】
【発明が解決しようとする課題】
【０００３】しかしながら、以上の技術によれば、貝殻・甲殻・藻類は組織が非常に堅く、分解吸収されにくく、液体に溶け込みにくいため、第一に資源としての利用率が低い。第二に液体に成分を抽出して販売するには容器が必要となり、ゴミ問題が発生する。第三に液体の場合には、その溶液の保存環境の変化（直射日光の照射の有無・外気温や湿度の変化等）によって中の溶液が腐敗したり、変質してしまうことが多い。第四にビニールハウスや温室内は湿度が高い場合が多いため、葉面散布しても植物体を濡らすことによってかえって病気に罹りやすくなるという問題が発生していた。【０００４】  そこで、この発明は、貝殻・甲殻・藻類を植物により吸収されやすい形に軟化させ、ゴミの発生を減らし、変化しにくく、葉面散布作用を持つ臭気を拡散させることのできる固体として、天然ミネラル補充剤を提供することを課題とする。
【課題を解決するための手段】
【０００５】  以上の課題を解決するために、第一発明は、図２のＡ（貝殻・甲殻・藻類のいずれかもしくは複数）に、図２のＢ（インスタントコーヒー・クエン酸・強酸性物質のいずれかもしくは複数の粉体もしくは粒体）と図２のＣ（水や食酢・木酢・酸性水やその蒸気）を混ぜ合わせることによって酸アルカリの化学反応を引き起こさせ、炭酸カルシウムとして図２のＡがもっている炭酸を空気中に飛散させて図２のＡの組織を軟化し、ミネラル分の水への溶解や栄養分の空気中への拡散を高めた固形を図１のように袋詰めにしたことを特徴とするミネラル補充剤である。
【発明の効果】
【０００６】  第一発明によれば、図６のように水田の水の給水口に図１を浸しておくだけで、稲にミネラルや栄養分を補給できる。また、図７のようにバケツやタンク内に水分とともに図１を沈めておけば、溶液は葉面散布剤や液肥として、のこった固形成分は土壌改良剤として利用できる。さらに、図８のようにビニールハウス内や温室等に図１を設置することにより、においの粒子として栄養分が拡散するため、植物体全体が高濃度のミネラルや栄養分を吸収する事ができる。臭気が薄れた後には、図７のように水に浸して葉面散布剤や液肥として、残った固形成分は土壌改良剤として再利用が可能である。
【発明を実施するための最良の形態】
【０００７】  この発明の一実施形態を、図６に示す。
Ａ（つぶ状カキ殻２０Ｋｇ）Ｂ（インスタントコーヒー粉末１０Ｋｇ）Ｃ（食酢２０Ｌ）を図３のように混ぜ合わせると酸アルカリの化学反応によって図４のように炭酸の泡が発生して、溶液が攪拌前の数倍に膨張する。そのまま２４時間放置すると化学反応も大分進み、図５のように炭酸の泡が減少し、カキ殻が軟化してくる。この状態は水分を多量に含み泥状であるが、さらにここでＡ（青のり１５Ｋｇ）を加えて混ぜ合わせボール状の固体を作り、軍手の素材と同じ布地で作った袋の中にその固体を入れて、袋の口を麻紐で縛る。これが図１の状態である。図１の大きさや形は、その用途に合わせて変化させる。図６では、これをＤ（水田の給水口）にＥのように（添え木に添付の麻紐を結び付けて）沈め用いている。効果が薄れた後は、残った固形成分は土壌改良剤として使用可能である。【０００８】  この発明の一実施形態を、図７に示す。
Ａ（カニ殻細粒２０Ｋｇ）Ｂ（インスタントコーヒー粉末１０Ｋｇ）Ｃ（食酢３０Ｌ）を図３のように混ぜ合わせると酸アルカリの化学反応により図４のように炭酸の泡が多量に発生して上記と同様に溶液が攪拌前の数倍に膨張する。急速な反応は３時間程で沈静化するが、放置した状態で一ヵ月以上も１秒間に一つの割合で炭酸の泡が発生し続ける。この一ヵ月以上経過した図５状態の混合物とＡ（青のり１５Ｋｇ）を攪拌し、用途に合わせた大きさで丸め袋状の布にその固体を入れて袋の口を麻紐で縛り、図７のように水の中に一晩以上浸す。ここで得られた溶液を葉面散布剤や液肥として用いる。残った固形成分は、土壌改良剤として使用することができる。【０００９】  この発明の一実施形態を、図８に示す。
カニ殻は青のりに比べて水分を吸収しにくいので、まずＡ（カニ殻細粒２０Ｋｇ）とＣ（食酢５Ｌ）をよく混ぜ合わせ、そののち、直ちにＢ（インスタントコーヒー粉末１０Ｋｇ）とＡ（青のり１５Ｋｇ）を加えてさらによく攪拌する。この混合物の割合は水分が少ないため、図６図７を製造する時のように激しく泡立つことはないが、強く臭気を放つ。この混合物を不織布の袋に包み袋の口を固く麻紐で結ぶ。図８ではこれをビニールハウスや温室内でＦのように（天井から添付の麻紐を結び付けて）吊るしたり、Ｇのように（植物の近くに）そのまま置いたりして使用する。作業や植物の成長の邪魔にならない場所がよい。臭気が薄れた後は、図７のように溶液を作って葉面散布剤や液肥として使うことも可能であるしそのまま土壌改良剤として土の上や土中に散布することもできる。
【実施形態の効果】
【００１０】  この実施形態によれば、図６のように用いると、稲の根が最も分解吸収しにくい貝殻の微量要素やミネラル分でも、給水口から入る水に溶け込み、その水が水田全体に広がるために、植物が吸収しやすく、他の肥料分も効率よく吸収するようになって、丈夫な稲が育つ。
【００１１】  図７のように用いると、空いたタンクやバケツ等で手軽に貝殻・甲殻・藻類の養分を抽出することができ、図９のような（プラスチック容器等）のゴミが出ない。しかも、抽出したての濁りのない溶液を使用者の好みの濃度で、葉面散布剤や液肥として用いることができる。この溶液は、植物を丈夫にし、その生長や生産を助ける。
【００１２】  また、図８のように用いると、貝殻・甲殻・藻類の高濃度の養分が匂いの粒子となり、植物の葉の裏側にある気孔や植物体全体から吸収され、植物体を濡らすことがない。その上、二ヵ月以上もの長期間にわたり臭気を拡散しつづけ、植物体を丈夫にする。水のいらない、置くだけで手間のかからない葉面散布剤となる。
【他の実施形態】
【００１３】  図８の実施形態では、ビニールハウスや温室における植物に対する使用であったが、他の実施形態では、畜舎や民家、ビル等への使用のものでも良い。
【図面の簡単な説明】
【００１４】
【図１】この発明の一実施形態を示す斜視図である。
【図２】この発明の製造過程を示す断面図である。
【図３】この発明の製造過程を示す断面図である。
【００１５】
【図４】この発明の製造過程を示す断面図である。
【図５】この発明の製造過程を示す断面図である。
【図６】この発明の一実施形態を示す外観図である。
【図７】この発明の一実施形態を示す断面図である。
【図８】この発明の一実施形態を示す外観図である。
【図９】従来技術を示す斜視図である。
【符号の説明】
【００１６】Ａ  貝殻・甲殻・藻類のいずれかもしくは複数
Ｂ  インスタントコーヒー・クエン酸・強酸性物質のいずれかもしくは複数の粉体もしくは粒体
Ｃ  水や食酢・木酢・酸性水やその蒸気
Ｄ  水田の給水口
Ｅ  固定棒
Ｆ  この発明のミネラル補充剤
Ｇ  この発明のミネラル補充剤
【００１７】１  麻紐
２  ２糸編みツームレスに仕上げられた布
３  タンク
４  攪拌棒
５  炭酸の気泡
【００１８】６  稲
７  カニ殻・食酢・インスタントコーヒー粉末・青のりの混合物
８  水
９  ビニールハウス
１０  イチゴの葉・花や果実
１１  プラスチック容器
【図１】
2005220004.tif 000002
【図２】
2005220004.tif 000003
【図３】
2005220004.tif 000004
【図４】
2005220004.tif 000005
【図５】
2005220004.tif 000006
【図６】
2005220004.tif 000007
【図７】
2005220004.tif 000008
【図８】
2005220004.tif 000009
【図９】
2005220004.tif 000010